(57)【特許請求の範囲】
【請求項１】
所定のユニットを筐体内に収納する収納位置と該筐体から突出させる使用位置との間で移動させるポップアップ機構を備える電子機器において、
前記ポップアップ機構は、
前記ユニットに設けられ、前記筐体内から該筐体の所定面へ向かう向きおよびその反対の向きへ進退移動する可動軸と、
前記可動軸の進退移動をガイドするガイド部と、
一端部で前記ユニットに設けられた第１軸を中心として前記ユニットを回動可能に支持し、かつ他端部で第２軸を中心として前記筐体側に回動可能に取り付けられたリンク部材と、
前記リンク部材に係合するとともに該リンク部材を前記第２軸を中心として回動する方向へ付勢するばね部材と、
前記ユニットを前記収納位置に保持する保持部材とを備え、
前記保持部材による保持の解除に応じて、前記ばね部材の前記リンク部材への付勢力により前記第２軸を中心として前記リンク部材を回動させながら前記第１軸を中心として前記ユニットを回動させることにより、前記可動軸を前記ガイド部に沿って前記所定面へ向けて移動させ、前記ユニットを前記収納位置から前記使用位置へ移動させることを特徴とする電子機器。
【請求項２】
請求項１に記載の電子機器において、
前記ユニットが前記使用位置にある場合に前記可動軸が位置する前記ガイド部の幅は、前記可動軸の径よりも広いことを特徴とする電子機器。
【請求項３】
請求項２に記載の電子機器において、
前記ユニットが前記使用位置にある場合に前記可動軸が位置する前記ガイド部の幅は、前記ユニットが前記収納位置にある場合に前記可動軸が位置する前記ガイド部の幅より広いことを特徴とする電子機器。
【請求項４】
請求項２または３に記載の電子機器において、
前記ユニットが前記収納位置にある場合に前記可動軸が位置する前記ガイド部の幅は、前記可動軸の径と略等しいことを特徴とする電子機器。
【請求項５】
請求項２〜４のいずれか一項に記載の電子機器において、
前記ユニットが前記使用位置にある場合の前記可動軸の位置から前記ユニットが前記収納位置にある場合の前記可動軸の位置へ向かう前記ガイド部の幅は、前記保持部材による保持解除直後の前記可動軸の移動方向と、前記第１軸を中心とする前記可動軸の回転軌道の接線とがなす角度が所定角度以下となるように形成されることを特徴とする電子機器。
【請求項６】
請求項１〜５のいずれか一項に記載の電子機器において、
前記ユニットが前記使用位置へ突出する前記筐体の開口と、前記突出後の前記ユニットとの間の前記所定面側の間隙を塞ぐように前記ユニットに顎部が設けられていることを特徴とする電子機器。
【請求項７】
請求項１〜６のいずれか一項に記載の電子機器において、
前記保持部材は、第３軸を中心として回動可能に前記筐体側に取り付けられた係止部材であり、前記ユニットの前記第１軸を中心とする回動を阻止するために前記ユニットを係止する力の向きは、前記係止部材による係止位置から前記第３軸へ向かう向きと略一致することを特徴とする電子機器。
【請求項８】
筐体に設けられた第１軸回りに回動可能に設けられたリンク部材と、
前記リンク部材の一端に設けられた第２軸を中心に回動可能に設けられた機器ユニットと、
前記機器ユニットの一端に設けられた第３軸と、
前記筐体に設けられ、前記第３軸が移動可能に係合するガイド溝と、
前記リンク部材を付勢することにより、前記リンク部材を前記第１軸回りの所定方向へ回動して前記機器ユニットを前記筐体に対する収納位置から突出位置へ移動する付勢ばねとを備え、
前記機器ユニットが前記突出位置に位置した状態で前記第３軸が位置する前記ガイド溝の幅は、前記第３軸の径よりも広いことを特徴とするポップアップ機構。
【発明の詳細な説明】
【技術分野】
【０００１】
本発明は、電子機器及びポップアップ機構に関する。
【背景技術】
【０００２】
ポップアップ機能を備える電子機器が知られている（特許文献１参照）。従来技術では、メインスイッチのオン操作に応答してポップアップ機構が発光ユニットをポップアップ位置へ回動し、メインスイッチのオフ操作に応答してポップアップ機構が発光ユニットをポップダウン位置へ回動する。
【先行技術文献】
【特許文献】
【０００３】
【特許文献１】特開２０１０−１９１０１７号公報
【発明の概要】
【発明が解決しようとする課題】
【０００４】
従来技術では、ポップアップしたユニットを手動によりポップダウン位置へ収めることが困難という問題があった。
【課題を解決するための手段】
【０００５】
請求項１に記載の発明は、所定のユニットを筐体内に収納する収納位置と該筐体から突出させる使用位置との間で移動させるポップアップ機構を備える電子機器に適用され、前記ポップアップ機構は、前記ユニットに設けられ、前記筐体内から該筐体の所定面へ向かう向きおよびその反対の向きへ進退移動する可動軸と、前記可動軸の進退移動をガイドするガイド部と、一端部で前記ユニットに設けられた第１軸を中心として前記ユニットを回動可能に支持し、かつ他端部で第２軸を中心として前記筐体側に回動可能に取り付けられたリンク部材と、前記リンク部材に係合するとともに該リンク部材を前記第２軸を中心として回動する方向へ付勢するばね部材と、前記ユニットを前記収納位置に保持する保持部材とを備え、前記保持部材による保持の解除に応じて、前記ばね部材の前記リンク部材への付勢力により前記第２軸を中心として前記リンク部材を回動させながら前記第１軸を中心として前記ユニットを回動させることにより、前記可動軸を前記ガイド部に沿って前記所定面へ向けて移動させ、前記ユニットを前記収納位置から前記使用位置へ移動させることを特徴とする。
請求項８に記載のポップアップ機構の発明は、筐体に設けられた第１軸回りに回動可能に設けられたリンク部材と、前記リンク部材の一端に設けられた第２軸を中心に回動可能に設けられた機器ユニットと、前記機器ユニットの一端に設けられた第３軸と、前記筐体に設けられ、前記第３軸が移動可能に係合するガイド溝と、前記リンク部材を付勢することにより、前記リンク部材を前記第１軸回りの所定方向へ回動して前記機器ユニットを前記筐体に対する収納位置から突出位置へ移動する付勢ばねとを備え、前記機器ユニットが前記突出位置に位置した状態で前記第３軸が位置する前記ガイド溝の幅は、前記第３軸の径よりも広いことを特徴とする。
【発明の効果】
【０００６】
本発明による電子機器では、ダウン位置へ手動復帰できるポップアップ機構を提供できる。
【図面の簡単な説明】
【０００７】
【図１】発光部ユニットを収納位置へ移動した状態を例示する図である。
【図２】発光部ユニットを使用位置へ移動した状態を例示する図である。
【図３】図３(a)は使用位置に対応する図、図３(b)〜図(d)は途中位置に対応する図、図３(e)は収納位置に対応する図である。
【図４】ポップアップ機構を分解した図である。
【図５】係止爪による係止を説明する図である。
【図６】操作レバーと係止爪との関係を説明する斜視図である。
【図７】遷移状態において発光部ユニットに作用する力を説明する図である。
【図８】ユニット基礎部に形成されているカム溝を例示する図である。
【図９】使用状態において発光部ユニットに作用する力を説明する図である。
【図１０】検出スイッチの周辺に配された部材を説明する図である。
【図１１】図１１(a)は使用位置に対応する図、図１１(b)および図１１(c)は収納途中の位置に対応する図である。
【図１２】本実施形態と異なるカム溝を例示する図である。
【発明を実施するための形態】
【０００８】
以下、図面を参照して本発明を実施するための形態について説明する。本実施形態では、電子カメラにポップアップ機構を備え、該ポップアップ機構によって発光部ユニット１０（図１、図２）をポップダウン位置（収納位置と呼ぶ）とポップアップ位置（使用位置と呼ぶ）との間で移動させる。発光部ユニット１０には、撮影補助光を発するフラッシュ装置の発光体１０１（図３）が収容される。
【０００９】
図１および図２は、本発明の一実施の形態によるポップアップ機構を搭載した電子カメラの筐体の肩部分を拡大した図である。図１は、発光部ユニット１０を収納位置へ移動した状態を例示する。図２は、図１の発光部ユニット１０を使用位置へ移動した状態を例示する。図１において、上面カバー１に設けられた開口部１ａが、後蓋３０と収納位置に収納された発光部ユニット１０とで塞がれている。図２において、使用位置へポップアップされた状態では、発光部ユニット１０の発光窓１０ｃが開口部１ａから露出するまで回動されるとともに、該発光窓１０ｃが筐体前面と略面一となるように筐体前面側へせり出される。開口部１ａの背面側は、後蓋３０と使用位置へポップアップされた発光部ユニット１０とで塞がれている。開口部１ａの前面側は、使用位置へポップアップされた発光部ユニット１０の顎部１０ｄ（図３(a)）で塞がれている。
【００１０】
図３は、ポップアップ機構により移動される発光部ユニット１０の位置を説明する遷移図である。図３(a)が使用位置に対応する図、図３(e)が収納位置に対応する図、図３(b)〜図３(d)は、それぞれ途中の位置に対応する図である。ポップアップ機構は、発光部ユニット１０をリンク２０を介してリンク結合軸２１の回りに回転させ、さらに後述するカム溝５０ａに沿ってスライド軸１１を並進移動させることにより、発光部ユニット１０を収納位置と使用位置との間で移動させる。
【００１１】
図４は、ポップアップ機構を分解した図である。図４において、ユニット基礎部５０は、不図示のカメラシャーシに固定されることによって上面カバー１の開口部１ａ内に収められている。ユニット基礎部５０は、収納位置に移動された発光部ユニット１０を収納する。ユニット基礎部５０の両側面には、スライド軸１１のスライド（並進移動）を前後方向にガイドするカム溝５０ａが形成されている。なお、図４において左下が前面側、右上が背面側である。
【００１２】
発光部ユニット１０の背面側左右には、スライド軸穴１０ｂがそれぞれ設けられている。発光部ユニット１０は、ユニット基礎部５０に形成されている上記カム溝５０ａと発光部ユニット１０のスライド軸穴１０ｂとをそれぞれ貫通するスライド軸１１によって、前後方向（図３において左右方向）にスライド可能である。
【００１３】
発光部ユニット１０には、リンク２０の一端（ユニット結合軸穴２０ａ側）が発光部ユニット結合軸１２によって回動可能に結合される。発光部ユニット結合軸１２と同軸に、開き付勢ばね１３が取り付けられる。開き付勢ばね１３の力は、発光部ユニット１０のポップアップ動作の作動力となる。リンク２０の他端（リンク結合軸穴２０ｂ側）は、ユニット基礎部５０に形成された結合軸穴５０ｂに圧入されるリンク結合軸２１によって回動可能に支持される。以上の構成により、リンク２０を介して発光部ユニット１０をリンク結合軸２１の回りに回転可能とする。
【００１４】
後蓋３０は、後蓋結合軸３２によって回動可能に上面カバー１と結合される。後蓋結合軸３２と同軸に、後蓋付勢ばね３１が取り付けられる。後蓋付勢ばね３１の力は、後蓋３０を閉じる力となる。
【００１５】
操作レバー４３は、発光部ユニット１０を使用位置へ移動させるための操作部材であり、ユニット基礎部５０に取り付けられている。操作レバー４３は通常、操作レバー付勢ばね４４の力によって筐体背面側（図４において右上方向）に付勢されている。操作レバー４３が筐体前面側（図４において左下方向）へ操作されると、後述するボス４３ａ（図５）が係止爪４０を回転させることにより、発光部ユニット１０の係止部１０ａに対する係止爪４０による係止を解除する。係止爪４０は、係止爪付勢ばね４１とともに係止爪結合軸４２によってユニット基礎部５０に取り付けられている。係止爪４０は通常、係止爪付勢ばね４１の力によって回転が抑止されている。係止爪４０による係止が解除された発光部ユニット１０は、上述した開き付勢ばね１３の力で使用位置へ移動する。
【００１６】
検出スイッチ６０は、発光部ユニット１０が使用位置にあるか否かを検出するためのスイッチである。検出スイッチ６０は、回動したリンク２０のボス２０ｃ（図１０）によって押下されると、オン信号を不図示の制御回路へ送出する。
【００１７】
上述した発光部ユニット１０の収納位置および使用位置についてさらに説明する。
＜収納位置＞
図５は、図３(e)に例示した収納位置状態において、発光部ユニット１０の係止部１０ａに対する係止爪４０による係止を説明する図である。図５において、付勢ばね１３（図４）の付勢力によって係止部１０ａに作用する力の方向は矢印（左上）方向である。これに対抗し、係止爪４０が上記矢印と反対方向（右下）へ係止部１０ａを引き留める。係止爪４０が係止する力の向きは、係止面４０１から係止爪４０の回転軸（係止爪結合軸４２）の略中心を通る向きであり、係止面４０１とは略直交する。このため、開き付勢ばね１３の力によって上記係止状態が外れることは無い。
【００１８】
係止状態を解除するのは、後述するボス４３ａが係止爪４０のボス４０ａを左方向へ押しこむ場合である。ボス４３ａは、操作レバー４３と一体構成されている。操作レバー４３が操作されない状態では、上述した操作レバー付勢ばね４４の力によって操作レバー４３が筐体背面側（図５において右方向）に付勢されているため、上記係止状態が外れることは無い。
【００１９】
＜収納位置→使用位置への遷移＞
図６は、操作レバー４３と係止爪４０との関係を説明する斜視図である。図６において、右側が筐体前面側であり、左側が筐体背面側である。係止爪４０は、係止爪付勢ばね４１の力によって係止爪結合軸４２の回りに矢印方向に付勢され、ボス４０ａが操作レバー４３のボス４３ａに当接されている。この状態で、図５に例示した係止状態が保たれている。
【００２０】
ユーザーが操作レバー４３を前面方向へ操作すると、該操作レバー４３のボス４３ａが係止爪４０のボス４０ａを前方（図６において右方向）へ押しこみ、係止爪４０を係止爪結合軸４２を中心に付勢の向きと反対向きに回転させる。これにより、図５において係止爪４０が係止爪結合軸４２を中心として左回転するので、発光部ユニットの係止部１０ａに対する係止が解除される。係止が解除されると、発光部ユニット１０は開き付勢ばね１３の力で使用位置に向かって移動を始める。
【００２１】
図７は、図３(d)に対応する遷移状態において発光部ユニット１０に作用する力を説明する図である。係止状態が解除された直後、発光部ユニット１０には開き付勢ばね１３の内径からの力Ｆ１１と、開き付勢ばね１３の腕からの力Ｆ１２と、開き付勢ばね１３によって付勢されたリンク２０からの力Ｆ１３と、スライド軸１１を介してカム溝５０ａからの力Ｆ１４とが働く。
【００２２】
上述した力Ｆ１１〜Ｆ１４は、発光部ユニット１０を発光部ユニット結合軸１２を中心として回転させながら、スライド軸１１をカム溝５０ａの区間５０ａ-２においてスライドさせる。図８は、ユニット基礎部５０の両側面に形成されているカム溝５０ａを例示する図である。位置５０ａ-１は、発光部ユニット１０が収納位置にある場合のスライド軸１１の位置に対応する。位置５０ａ-１において、カム溝５０ａの幅がスライド軸１１の径と略等しく形成される。収納位置にある発光部ユニット１０へ外部から力が加わったとしても、スライド軸１１がガタつかないようにするためである。
【００２３】
位置５０ａ-３は、発光部ユニット１０が使用位置にある場合のスライド軸１１の位置に対応する。位置５０ａ-３において、カム溝５０ａの幅は位置５０ａ-１におけるカム溝５０ａの幅より広く形成される。位置５０ａ-１と位置５０ａ-３との間の区間５０ａ-２は、カム溝５０ａの幅を位置５０ａ-３における幅よりもさらに広くするように形成されている。スライド軸１１の移動をスムーズにするためである。区間５０ａ-２におけるカム溝５０ａの上部の形状５０ａ-４は、位置５０ａ-３から離れるにしたがって上方に広がり、位置５０ａ-１へ近づくにつれて狭まる。
【００２４】
区間５０ａ-２において、カム溝５０ａの幅をスライド軸１１の径より広くして余裕を持たせているので、スライド軸１１が位置５０ａ-１から位置５０-３まで滑らかにスライドする。図３(d)から図３(b)に示すように、スライド軸１１が前方へスライドするのに伴って、リンク２０のユニット結合軸穴２０ａ（発光部ユニット結合軸１２）のスライド軸１１に対する相対位置が徐々に高くなる。これにより、発光部ユニット結合軸１２を軸に発光部ユニット１０が立ち上がり、発光部ユニット１０の発光窓１０ｃが上面カバー１の開口部１ａから露出する。そして、リンク２０がリンク結合軸２１を中心として回転すると、発光窓１０ｃが筐体前面側へせり出される。
【００２５】
＜使用位置＞
スライド軸１１が位置５０ａ-３へ到達し、カム溝５０ａの端（前面側）に当接すると、発光部ユニット１０の発光窓１０ｃが上面カバー１の開口部１ａから露出して筐体前面側へせり出した状態で固定される（図３(a)）。図９は、図３(a)に対応する使用状態において発光部ユニット１０に作用する力を説明する図である。発光部ユニット１０には開き付勢ばね１３の内径からの力Ｆ３１と、開き付勢ばね１３の腕からの力Ｆ３２と、開き付勢ばね１３によって付勢されたリンク２０からの力Ｆ３３と、スライド軸１１を介してカム溝５０ａからの力Ｆ３４およびＦ３５とが働く。
【００２６】
力Ｆ３１〜Ｆ３５は互いに釣り合うことから、発光部ユニット１０はスライド軸１１をカム溝５０ａの位置５０ａ-３に接した状態（使用位置）で静止し、所定のフラッシュ配向角を維持する。なお、上述したように、位置５０ａ-３においてカム溝５０ａの幅がスライド軸１１の径より広く形成されるため、位置５０ａ-１の場合に比べてクリアランスを有するが、開き付勢ばね１３の力によって使用位置の状態で安定する。
【００２７】
図１０は、検出スイッチ６０の周辺に配された部材を説明する図である。リンク２０が使用位置に対応する位置まで回動すると、リンク２０と一体構成されているボス２０ｃが検出スイッチ６０の検出部６０ａを押しこむ。これにより、検出スイッチ６０の回路が閉じられてオン信号を出力する。不図示の制御回路は、このオン信号に基づいてフラッシュ装置の発光可能状態を検出する。リンク２０が使用位置に対応する位置まで回動しない場合には、検出スイッチ６０がオフ信号を出力するので、不図示の制御回路は、このオフ信号に基づいてフラッシュ装置の発光不可能状態を検出する。
【００２８】
＜使用位置→収納位置への遷移＞
発光部ユニット１０を収納させる場合は、ユーザーが発光部ユニット１０を開口部１ａ内へ押し込むように操作する。図１１は、収納位置へ移動される発光部ユニット１０の位置を説明する遷移図である。図１１(a)が使用位置に対応する図、図１１(b)および図１１(c)は、それぞれ収納途中の位置に対応する図である。ポップアップ機構は、発光部ユニット１０をリンク２０を介してリンク結合軸２１回りに回転させ、さらにカム溝５０ａに沿ってスライド軸１１を並進移動させることにより、発光部ユニット１０を収納位置へ移動させる。
【００２９】
この場合のポイントとなるのがカム溝５０ａに設けられている上記クリアランスである。ユーザーが手で発光部ユニット１０を押さえることにより、操作力Ｆ４０が図１１(a)に例示する向きに与えられる。発光部ユニット１０のスライド軸１１は、位置５０ａ-３（図８）においてカム溝５０ａの上部形状５０ａ-４の壁に当接するまで発光部ユニット結合軸１２を中心に左向きに回転する。上部形状５０ａ-４の壁に当接すると発光部ユニット１０の回転は制限され、スライド軸１１がカム溝５０ａに沿って区間５０ａ-２を右方向（背面側）へ動き始める。
【００３０】
上述したように、区間５０ａ-２におけるカム溝５０ａは、その上部形状５０ａ-４が広がり形状を有し、区間５０ａ-２のカム溝５０ａの幅は位置５０ａ-３におけるカム溝５０ａの幅より広い。これにより、図１１(b)に例示するように、カム溝５０ａの上部形状５０ａ-４の壁に当接した直後のスライド軸１１の移動方向Ｄ２と、発光部ユニット結合軸１２を中心とするスライド軸１１の回転軌道の接線Ｄ１とがなす角度が所定角度以下（たとえば、３５度）に抑えられる。この場合の発光部ユニット１０は、発光部ユニット結合軸１２を中心に回転しつつ、スライド軸１１がカム溝５０ａに沿ってスムーズに右方向（背面側）へスライド移動を始める。
【００３１】
スライド軸１１がスライド移動するにつれて、図１１(c)に例示するように、スライド軸１１の移動方向Ｄ２cと、発光部ユニット結合軸１２を中心とするスライド軸１１の回転軌道の接線Ｄ１cとがなす角度が上記所定角度より大きくなる。しかしながら、発光部ユニット結合軸１２とリンク結合軸２１との前後方向（図１１(c)において左右方向）の間隔Ｘが大きくなるので、操作力Ｆ４０のうち垂直方向（図１１(c)において上下方向）成分が、スライド軸１１を支点として発光部ユニット結合軸１２を下方へ押しこみ、リンク２０をリンク結合軸２１を中心に右回転させる。これに伴い、スライド軸１１はさらに右方向（背面側）へスライドする（図１１(c)）。
【００３２】
最終的に、発光部ユニット１０の係止部１０ａが係止爪４０によって係止されるまで押し込まれ（図５）、スライド軸１１がカム５０ａの位置５０ａ-１へ到達して（図８）収納状態となる（図３(e)）。図１２に例示するように、仮に、カム溝５０ａ'が上述した５０ａのような広がり形状を有しておらず、全ての区間で略同一の幅を有しているとすれば、係止状態が解除された直後のスライド軸１１の移動方向Ｄ２'と、発光部ユニット結合軸１２を中心とするスライド軸１１の回転軌道の接線Ｄ１とがなす角度が所定角度より大となる。この場合の発光部ユニット１０は、発光部ユニット結合軸１２を中心に回転することも、スライド軸１１がカム溝５０ａ'に沿って右方向（背面側）へスライド移動することもできず、ユーザーの手による発光部ユニット１０の押し込み操作だけで発光部ユニット１０を収納させることは極めて困難である。
【００３３】
以上説明した実施形態によれば、次の作用効果が得られる。
（１）発光部ユニット１０を筐体内に収納する収納位置と該筐体から突出させる使用位置との間で移動させるポップアップ機構を備える電子カメラにおいて、ポップアップ機構は、発光部ユニット１０を回動可能に支持し、筐体内から該筐体の前面へ向かう向きおよびその反対の向きへ進退移動するスライド軸１１と、スライド軸１１の移動をガイドするカム溝５０ａと、一端が発光部ユニット１０に発光部ユニット結合軸１２を中心として回動可能に取り付けられ、かつ他端がカメラシャーシにリンク結合軸２１を中心として回動可能に取り付けられたリンク２０と、発光部ユニット結合軸１２を中心として発光部ユニット１０およびリンク２０を使用位置へ回動させる方向へ付勢する開き付勢ばね１３と、発光部ユニット結合軸１２を中心とする回動を阻止して発光部ユニット１０を収納位置に保持する係止爪４０とを備え、係止爪４０による保持解除に応じて、開き付勢ばね１３による付勢力により、発光部ユニット結合軸１２を中心として発光部ユニット１０およびリンク２０を回動させながらリンク結合軸２１を中心としてリンク２０を回動させ、かつスライド軸１１をカム溝５０ａに沿って前面へ向けて移動させながらスライド軸１１を中心として発光部ユニット１０を回動させるようにした。これにより、ダウン位置へ手動復帰可能なポップアップ機構が得られる。
【００３４】
（２）上記（１）の電子カメラにおいて、発光部ユニット１０が使用位置にある場合のスライド軸１１の位置５０ａ-３と、発光部ユニット１０が収納位置にある場合のスライド軸１１の位置５０ａ-１との間のカム溝５０ａの幅は、スライド軸１１の径より広くした。これにより、スライド軸１１の移動がスムーズになる。
【００３５】
（３）上記（２）の電子カメラにおいて、位置５０ａ-３におけるカム溝５０ａの幅は、位置５０ａ-１におけるカム溝５０ａの幅より広くした。これにより、ダウン位置へ手動復帰させる際の操作感が向上する。すなわち、発光部ユニット１０を押し込むと、スライド軸１１を発光部ユニット結合軸１２を中心に回転させつつ、該スライド軸１１をカム溝５０ａに沿ってスムーズにスライドさせることができる。
【００３６】
（４）上記（２）または（３）の電子カメラにおいて、位置５０ａ-１におけるカム溝５０ａの幅は、スライド軸１１の径と略等しくしたので、収納位置にある発光部ユニット１０へ外部から力が加わったとしても、スライド軸１１のガタつきを防止できる。
【００３７】
（５）上記（２）〜（４）の電子カメラにおいて、位置５０ａ-３から位置５０ａ-１へ向かうカム溝５０ａの幅は、係止爪４０による保持解除直後のスライド軸１１の移動方向Ｄ２と、発光部ユニット結合軸１２を中心とするスライド軸１１の回転軌道の接線Ｄ１とがなす角度が所定角度以下となるように形成した。これにより、ダウン位置へ手動復帰させる際の操作感が向上する。すなわち、スライド軸１１を発光部ユニット結合軸１２を中心に回転させつつ、スライド軸１１をカム溝５０ａに沿ってスムーズにスライドさせることができる。
【００３８】
（６）上記（１）〜（５）の電子カメラにおいて、スライド軸１１を中心とする発光部ユニット１０の回転軌道は、筐体の前面より筐体内側に位置するようにしたので（図３）、上面カバー１の前面側を切り欠く必要がない。この結果、前面側から開口部１ａの割線が見えないから、収納位置状態における外観をよくすることができる。
【００３９】
（７）上記（１）〜（６）の電子カメラにおいて、発光部ユニット１０が使用位置へ突出する筐体の開口１ａと、突出後の発光部ユニット１０との間の前面側の間隙を塞ぐように発光部ユニット１０に顎部１０ｄを設けたので、使用位置状態における外観をよくすることができる。
【００４０】
（８）上記（１）〜（７）の電子カメラにおいて、係止爪４０は、係止爪結合軸４２を中心として回動可能にカメラシャーシに取り付けられた係止部材であり、発光部ユニット１０の発光部ユニット結合軸１２を中心とする回動を阻止するために発光部ユニット１０を係止する力の向きは、該係止位置から係止爪結合軸４２へ向かう向きと略一致するようにした。これにより、収納位置で係止する状態を確実に保つことができる。
【００４１】
（変形例１）
上述した説明では、発光部ユニット１０の係止部１０ａに対する係止解除のために、係止爪４０を係止爪結合軸４２の回りに回転させる回転式構成にしたので、省スペースの点において有利である。この代わりに、発光部ユニット１０の係止部１０ａに対する係止解除のために、係止爪４０を並進移動させる並進式構成にしても構わない。この場合でも、係止爪４０および操作レバー４３をそれぞればねで付勢させておくことが好ましい。可動方向のいずれか一方へガタ寄せしておくことは、係止爪４０や操作レバー４３の誤動作防止に有効である。
【００４２】
（変形例２）
使用位置と収納位置との間を移動する際の発光部ユニット１０の軌道は、リンク２０の有効長（ユニット結合軸穴２０ａとリンク結合軸穴２０ｂと間の直線距離）と発光部ユニット結合軸１２（ユニット結合軸穴２０ａ）とスライド軸１１（スライド軸穴１０ｂ）との間の距離によって一意に決まる。本実施形態では、上面カバー１に設けられた開口部１ａの割線が筐体の正面側から見えないようにするために必要な長さを定めている。これらの長さは、筐体の厚さ（前面と背面との間の距離）や、発光部ユニット１０の大きさ等に基づいて、適宜変更して構わない。
【００４３】
（変形例３）
発光部ユニット１０をポップアップ位置とポップダウン位置との間で移動させる電子カメラを例に説明したが、カメラユニットをポップアップ位置とポップダウン位置との間で移動させる携帯電話機や、マイクユニットをポップアップ位置とポップダウン位置との間で移動させる録音機器などのポップアップ機構を備える他の電子機器にも本発明を適用することもできる。
【００４４】
以上の説明はあくまで一例であり、上記の実施形態の構成に何ら限定されるものではない。
【符号の説明】
【００４５】
１…上面カバー
１ａ…開口部
１０…発光部ユニット
１１…スライド軸
１２…発光部ユニット結合軸
１３…開き付勢ばね
２０…リンク
２１…リンク結合軸
３０…後蓋
３１…後蓋付勢ばね
３２…後蓋結合軸
４０…係止爪
４１…係止爪付勢ばね
４２…係止爪結合軸
４３…操作レバー
４４…操作レバー付勢ばね
５０…ユニット基礎部
５０ａ…カム溝
５０ａ-１…位置
５０ａ-２…区間
５０ａ-３…位置
５０ａ-４…上部形状
５０ｂ…リンク結合軸穴
１０１…発光体
【図１】
0005648495.tif 000002
【図２】
0005648495.tif 000003
【図３】
0005648495.tif 000004
【図４】
0005648495.tif 000005
【図５】
0005648495.tif 000006
【図６】
0005648495.tif 000007
【図７】
0005648495.tif 000008
【図８】
0005648495.tif 000009
【図９】
0005648495.tif 000010
【図１０】
0005648495.tif 000011
【図１１】
0005648495.tif 000012
【図１２】
0005648495.tif 000013